(57)【要約】【課題】映像素材の収録から編集開始までのリードタイムを短縮することが可能な編集システム、記録再生装置及び映像素材編集方法を提供する。【解決手段】映像クリップの収録を、所定の収録時間毎に擬似的に終了させる。これにより、映像クリップは、複数の分割ファイルとして映像記録再生装置１０の内蔵記録媒体１２又はリムーバブル記録媒体３０へ収録されることになる。このため、映像記録再生装置１０は、編集装置４０から収録中の映像ファイルを編集する旨の通知があった場合であっても、収録中の映像ファイルにおける収録済みの分割ファイルを編集対象として編集装置４０へ通知することが可能となる。【選択図】      図１１
2010219672.tif 000002
【特許請求の範囲】
【請求項１】
取得した映像素材を規定フォーマットの映像ファイルにエンコードしてランダムアクセス可能な記録媒体へ収録する記録再生装置と、前記記録再生装置の記録媒体に収録された映像ファイルを編集する編集装置とを具備する編集システムにおいて、
前記記録再生装置は、
前記映像ファイルの収録を予め設定された要件が満たされる度に擬似的に終了させ、前記映像ファイルを前記擬似的な収録の終了により順次得られる分割ファイル単位で前記記録媒体へ収録する収録制御部と、
収録中の映像ファイルに対する編集処理を実行する旨が前記編集装置から通知された場合、前記映像ファイルにおける収録済みの分割ファイルに関する情報を、前記分割ファイルの収録が完了する度に前記編集装置へ順次送出する編集応答部と
を備え、
前記編集装置は、前記送出された分割ファイルに関する情報に基づいて前記収録中の映像ファイルにおける収録済みの分割ファイルを編集することを特徴とする編集システム。
【請求項２】
前記収録制御部は、予め設定された既定時間が経過する度に前記映像ファイルの収録を擬似的に終了させることを特徴とする請求項１記載の編集システム。
【請求項３】
前記収録制御部は、予め設定された既定容量の前記分割ファイルを収録する度に前記映像ファイルの収録を擬似的に終了させることを特徴とする請求項１記載の編集システム。
【請求項４】
前記記録再生装置は、
前記映像ファイルの収録処理及び前記編集装置での編集処理に対する応答処理を含む複数の実行処理のうちいずれかの実行中に、前記複数の実行処理のうちいずれかが新たに要求された場合、リソース残量と前記新たに要求された実行処理のリソース使用量とを比較し、前記新たに要求された実行処理を実行するのに十分なリソース残量がある場合、前記新たに要求された実行処理を実行する実行制御部をさらに備えることを特徴とする請求項１記載の編集システム。
【請求項５】
前記記録再生装置は、
前記複数の実行処理の優先順位を管理し、前記新たに要求された実行処理を実行するのに十分なリソース残量がない場合、前記実行中の実行処理のうち前記新たに要求された実行処理よりも優先順位の低い実行処理を中断して、前記新たに要求された実行処理を実行する中断制御部をさらに備えることを特徴とする請求項４記載の編集システム。
【請求項６】
前記中断制御部は、前記実行中の実行処理を中断する場合、当該実行処理の中断時の状態を保持するように前記記録媒体又は前記編集装置へ指示を出すことを特徴とする請求項５記載の編集システム。
【請求項７】
前記記録再生装置は、
収録中の映像ファイルの再生要求が入力された場合、前記映像ファイルにおける収録済みの分割ファイルを再生する再生制御部をさらに備えることを特徴とする請求項１記載の編集システム。
【請求項８】
前記記録再生装置は、
前記映像ファイルの収録処理、前記編集装置での編集処理に対する応答処理及び前記映像ファイルの前記再生処理を含む複数の実行処理のうちいずれかの実行中に、前記複数の実行処理のうちいずれかが新たに要求された場合、リソース残量と前記新たに要求された実行処理のリソース使用量とを比較し、前記新たに要求された実行処理を実行するのに十分なリソース残量がある場合、前記新たに要求された実行処理を実行する実行制御部をさらに備えることを特徴とする請求項７記載の編集システム。
【請求項９】
前記記録再生装置は、
前記複数の実行処理の優先順位を管理し、前記新たに要求された実行処理を実行するのに十分なリソース残量がない場合、前記実行中の実行処理のうち前記新たに要求された実行処理よりも優先順位の低い実行処理を中断して、前記新たに要求された実行処理を実行する中断制御部をさらに備えることを特徴とする請求項８記載の編集システム。
【請求項１０】
前記中断制御部は、前記実行中の実行処理を中断する場合、当該実行処理の中断時の状態を保持するように前記記録媒体又は前記編集装置へ指示を出すことを特徴とする請求項９記載の編集システム。
【請求項１１】
前記編集装置は、前記分割ファイルに関する情報に基づいて前記記録媒体から読み出した前記収録済みの分割ファイルを編集し、当該編集の編集結果をプレイリスト情報として保持することを特徴とする請求項１記載の編集システム。
【請求項１２】
前記記録再生装置は、前記取得した映像素材を前記分割ファイルよりも低容量のプロキシ画像ファイルにエンコードするエンコーダをさらに備え、
前記収録制御部は、前記分割ファイルと共に前記プロキシ画像ファイルを前記記録媒体へ順次収録し、
前記編集応答部は、前記収録済みの分割ファイルに関する情報と共に、前記収録済みの分割ファイルのプロキシ画像ファイルを前記編集装置へ送出し、
前記編集装置は、前記分割ファイルに関する情報に基づいて前記分割ファイルのプロキシ画像ファイルを編集し、当該編集を施したプロキシ画像ファイルを保持することを特徴とする請求項１記載の編集システム。
【請求項１３】
前記編集装置が複数存在する場合、
前記記録再生装置は、
前記複数の編集装置のうちいずれかの編集装置に対する応答処理の実行中に、他の編集装置から編集処理を実行する旨が通知された場合、リソース残量と前記他の編集装置に対する応答処理のリソース使用量とを比較し、前記他の編集装置に対する応答処理を実行するのに十分なリソース残量がある場合、前記他の編集装置に対する応答処理を実行する実行制御部と、
前記複数の編集装置の優先順位を管理し、前記他の編集装置に対する応答処理を実行するのに十分なリソース残量がない場合、前記他の編集装置よりも優先順位の低い編集装置に対する応答処理を中断して、前記他の編集装置に対する応答処理を実行する中断制御部と
をさらに具備することを特徴とする請求項１記載の編集システム。
【請求項１４】
前記中断制御部は、前記実行中の応答処理を中断する場合、前記編集装置における中断時の編集状態を保持するように前記編集装置へ指示を出すことを特徴とする請求項１３記載の編集システム。
【請求項１５】
前記記録再生装置は、
前記記録媒体に収録された映像ファイルのうち、実行中の実行処理で使用されている映像ファイルに対するアクセスを制限する制限制御部をさらに備えることを特徴とする請求項１記載の編集システム。
【請求項１６】
前記制限制御部は、前記記録媒体に収録された映像ファイルのうち、実行中の実行処理で使用されている映像ファイルを前記編集装置に対して非表示とすることを特徴とする請求項１５記載の編集システム。
【請求項１７】
取得した映像素材を規定フォーマットの映像ファイルにエンコードしてランダムアクセス可能な記録媒体へ収録する映像記録再生装置において、
前記映像ファイルの収録を予め設定された要件が満たされる度に擬似的に終了させ、前記映像ファイルを前記擬似的な収録の終了により順次得られる分割ファイル単位で前記記録媒体へ収録する収録制御部を具備することを特徴とする記録再生装置。
【請求項１８】
前記収録制御部は、予め設定された既定時間が経過する度に前記映像ファイルの収録を擬似的に終了させることを特徴とする請求項１７記載の記録再生装置。
【請求項１９】
前記収録制御部は、予め設定された既定容量の前記分割ファイルを収録する度に前記映像ファイルの収録を擬似的に終了させることを特徴とする請求項１７記載の記録再生装置。
【請求項２０】
前記記録媒体に収録した映像ファイルを編集する編集装置とネットワーク回線を通じて接続するインタフェース部と、
収録中の映像ファイルに対する編集処理を実行する旨が前記編集装置から通知された場合、前記映像ファイルにおける収録済みの分割ファイルに関する情報を、前記分割ファイルの収録が完了する度に前記編集装置へ順次送出する編集応答部と
をさらに具備することを特徴とする請求項１７記載の記録再生装置。
【請求項２１】
前記映像ファイルの収録処理及び前記編集装置での編集処理に対する応答処理を含む複数の実行処理のうちいずれかの実行中に、前記複数の実行処理のうちいずれかが新たに要求された場合、リソース残量と前記新たに要求された実行処理のリソース使用量とを比較し、前記新たに要求された実行処理を実行するのに十分なリソース残量がある場合、前記新たに要求された実行処理を実行する実行制御部をさらに備えることを特徴とする請求項２０記載の記録再生装置。
【請求項２２】
前記複数の実行処理の優先順位を管理し、前記新たに要求された実行処理を実行するのに十分なリソース残量がない場合、前記実行中の実行処理のうち前記新たに要求された実行処理よりも優先順位の低い実行処理を中断して、前記新たに要求された実行処理を実行する中断制御部をさらに備えることを特徴とする請求項２１記載の記録再生装置。
【請求項２３】
前記中断制御部は、前記実行中の実行処理を中断する場合、当該実行処理の中断時の状態を保持するように前記記録媒体又は前記編集装置へ指示を出すことを特徴とする請求項２２記載の記録再生装置。
【請求項２４】
前記取得した映像素材を前記分割ファイルよりも低容量のプロキシ画像ファイルにエンコードするエンコーダをさらに備え、
前記収録制御部は、前記分割ファイルと共に前記プロキシ画像ファイルを前記記録媒体へ順次収録し、
前記編集応答部は、前記収録済みの分割ファイルに関する情報と共に、前記収録済みの分割ファイルのプロキシ画像ファイルを前記編集装置へ送出することを特徴とする請求項２０記載の記録再生装置。
【請求項２５】
前記インタフェース部に複数の前記編集装置が接続する場合、
前記複数の編集装置のうちいずれかの編集装置に対する応答処理の実行中に、他の編集装置から編集処理を実行する旨が通知された場合、リソース残量と前記他の編集装置に対する応答処理のリソース使用量とを比較し、前記他の編集装置に対する応答処理を実行するのに十分なリソース残量がある場合、前記他の編集装置に対する応答処理を実行する実行制御部と、
前記複数の編集装置の優先順位を管理し、前記他の編集装置に対する応答処理を実行するのに十分なリソース残量がない場合、前記他の編集装置よりも優先順位の低い編集装置に対する応答処理を中断して、前記他の編集装置に対する応答処理を実行する中断制御部と
をさらに具備することを特徴とする請求項２０記載の記録再生装置。
【請求項２６】
前記中断制御部は、前記実行中の応答処理を中断する場合、前記編集装置における中断時の編集状態を保持するように前記編集装置へ指示を出すことを特徴とする請求項２５記載の記録再生装置。
【請求項２７】
収録中の映像ファイルの再生要求が入力された場合、前記映像ファイルにおける収録済みの分割ファイルを再生する再生制御部をさらに備えることを特徴とする請求項１７記載の記録再生装置。
【請求項２８】
前記映像ファイルの収録処理、前記編集装置での編集処理に対する応答処理及び前記映像ファイルの前記再生処理を含む複数の実行処理のうちいずれかの実行中に、前記複数の実行処理のうちいずれかが新たに要求された場合、リソース残量と前記新たに要求された実行処理のリソース使用量とを比較し、前記新たに要求された実行処理を実行するのに十分なリソース残量がある場合、前記新たに要求された実行処理を実行する実行制御部をさらに備えることを特徴とする請求項２７記載の記録再生装置。
【請求項２９】
前記複数の実行処理の優先順位を管理し、前記新たに要求された実行処理を実行するのに十分なリソース残量がない場合、前記実行中の実行処理のうち前記新たに要求された実行処理よりも優先順位の低い実行処理を中断して、前記新たに要求された実行処理を実行する中断制御部をさらに備えることを特徴とする請求項２８記載の記録再生装置。
【請求項３０】
前記中断制御部は、前記実行中の実行処理を中断する場合、当該実行処理の中断時の状態を保持するように前記記録媒体へ指示を出すことを特徴とする請求項２９記載の記録再生装置。
【請求項３１】
前記記録媒体に収録された映像ファイルのうち、実行中の実行処理で使用されている映像ファイルに対するアクセスを制限する制限制御部をさらに備えることを特徴とする請求項１７記載の記録再生装置。
【請求項３２】
前記記録媒体に収録された映像ファイルのうち、実行中の実行処理で使用されている映像ファイルに対するアクセスを制限する制限制御部をさらに備え、
前記制限制御部は、前記記録媒体に収録された映像ファイルのうち、実行中の実行処理で使用されている映像ファイルを前記編集装置に対して非表示とすることを特徴とする請求項２０記載の記録再生装置。
【請求項３３】
取得した映像素材を規定フォーマットの映像ファイルにエンコードしてランダムアクセス可能な記録媒体へ収録する記録再生装置と、前記記録再生装置の記録媒体に収録された映像ファイルを編集する編集装置とを具備する編集システムで用いられる映像素材編集方法において、
前記映像ファイルの収録を予め設定された要件が満たされる度に擬似的に終了し、前記映像ファイルを前記擬似的な収録の終了により順次得られる分割ファイル単位で前記記録媒体へ収録し、
収録中の映像ファイルに対する編集処理を実行する旨が前記編集装置から前記記録再生装置へ通知された場合、前記映像ファイルにおける収録済みの分割ファイルに関する情報を、前記分割ファイルの収録が完了する度に前記記録再生装置から前記編集装置へ順次送出し、
前記送出された分割ファイルに関する情報に基づいて前記収録中の映像ファイルにおける収録済みの分割ファイルを編集することを特徴とする映像素材編集方法。
【請求項３４】
前記収録の擬似的な終了を、予め設定された既定時間が経過する度に行うことを特徴とする請求項３３記載の映像素材編集方法。
【請求項３５】
前記収録の擬似的な終了を、予め設定された既定容量の前記分割ファイルを収録する度に行うことを特徴とする請求項３３記載の映像素材編集方法。
【発明の詳細な説明】
【技術分野】
【０００１】
この発明は、マルチタスク放送用記録再生装置に記録される映像素材を、ネットワークを介して接続される編集装置で編集する編集システム、この編集システムに用いられる記録再生装置及び映像素材編集方法に関する。
【背景技術】
【０００２】
現在、放送用番組素材の編集方法には、撮影した映像素材をランダムアクセス可能な記録媒体を持つ記録再生装置に収録し、収録した映像素材を編集装置上で編集プログラムを用いて編集を行うノンリニア編集がある。ノンリニア編集は、繰り返し編集及び手直しが容易であり、また映像素材における任意の位置から即座に再生する事が可能であるため、テレビ局等において主流の技術になっている。
【０００３】
しかしながら、従来の編集システムでは、記録再生装置への映像素材の収録が完了し、映像素材を編集装置へコピーしてからでないと、映像素材の編集に取り掛かれず、大きな時間のロスとなっていた。そのため、ニュースやスポーツ等、リアルタイムに情報を伝えなければならない番組のワークフローにおいては、品質が高くかつ即時性を上げた対応が難しいという問題があった。
【０００４】
なお、編集処理に取り掛かるまでの時間を短縮させる方法として、正規の映像素材を収録すると共に、低ビットレートで符号化したプロキシ素材を収録し、収録完了後、プロキシ素材を編集装置へ先にコピーするという方法が提案されている（例えば、特許文献１参照）。しかし、特許文献１の方法でも、映像素材の収録が完了した後でないと編集を行うことができない。
【先行技術文献】
【特許文献】
【０００５】
【特許文献１】特開２００８−１５３７３９号公報
【発明の概要】
【発明が解決しようとする課題】
【０００６】
以上のように、従来の編集システムでは、映像素材の収録が完了し、その映像素材を編集装置へコピーするまで、映像素材の編集に取り掛かることができず、大きな時間のロスとなっていた。
【０００７】
この発明は上記事情によりなされたもので、その目的は、映像素材の収録から編集開始までのリードタイムを短縮することが可能な編集システム、記録再生装置及び映像素材編集方法を提供することにある。
【課題を解決するための手段】
【０００８】
上記目的を達成するため、本発明に係る編集システムは、取得した映像素材を規定フォーマットの映像ファイルにエンコードしてランダムアクセス可能な記録媒体へ収録する記録再生装置と、前記記録再生装置の記録媒体に収録された映像ファイルを編集する編集装置とを具備する編集システムにおいて、前記記録再生装置は、前記映像ファイルの収録を予め設定された要件が満たされる度に擬似的に終了させ、前記映像ファイルを前記擬似的な収録の終了により順次得られる分割ファイル単位で前記記録媒体へ収録する収録制御部と、収録中の映像ファイルに対する編集処理を実行する旨が前記編集装置から通知された場合、前記映像ファイルにおける収録済みの分割ファイルに関する情報を、前記分割ファイルの収録が完了する度に前記編集装置へ順次送出する編集応答部とを備え、前記編集装置は、前記送出された分割ファイルに関する情報に基づいて前記収録中の映像ファイルにおける収録済みの分割ファイルを編集することを特徴とする。
【０００９】
また、本発明に係る記録再生装置は、取得した映像素材を規定フォーマットの映像ファイルにエンコードしてランダムアクセス可能な記録媒体へ収録する映像記録再生装置において、前記映像ファイルの収録を予め設定された要件が満たされる度に擬似的に終了させ、前記映像ファイルを前記擬似的な収録の終了により順次得られる分割ファイル単位で前記記録媒体へ収録する収録制御部を具備することを特徴とする。
【００１０】
また、本発明に係る映像素材編集方法は、取得した映像素材を規定フォーマットの映像ファイルにエンコードしてランダムアクセス可能な記録媒体へ収録する記録再生装置と、前記記録再生装置の記録媒体に収録された映像ファイルを編集する編集装置とを具備する編集システムで用いられる映像素材編集方法において、前記映像ファイルの収録を予め設定された要件が満たされる度に擬似的に終了し、前記映像ファイルを前記擬似的な収録の終了により順次得られる分割ファイル単位で前記記録媒体へ収録し、収録中の映像ファイルに対する編集処理を実行する旨が前記編集装置から前記記録再生装置へ通知された場合、前記映像ファイルにおける収録済みの分割ファイルに関する情報を、前記分割ファイルの収録が完了する度に前記記録再生装置から前記編集装置へ順次送出し、前記送出された分割ファイルに関する情報に基づいて前記収録中の映像ファイルにおける収録済みの分割ファイルを編集することを特徴とする。
【００１１】
上記構成による編集システム、記録再生装置及び映像素材編集方法では、映像ファイルを分割ファイル単位で記録再生装置の記録媒体へ収録することが可能である。このため、記録再生装置は、編集装置から収録中の映像ファイルを編集する旨の通知があった場合であっても、収録中の映像ファイルにおける収録済みの分割ファイルを編集対象として編集装置へ通知することが可能となる。
【発明の効果】
【００１２】
この発明によれば、映像素材の収録から編集開始までのリードタイムを短縮することが可能な編集システム、記録再生装置及び映像素材編集方法を提供することができる。
【図面の簡単な説明】
【００１３】
【図１】本発明の一実施形態に係る映像記録再生装置の概観図である。
【図２】図１の映像記録再生装置の構成を示すブロック図である。
【図３】実行中処理管理テーブルを示す図である。
【図４】アクセス制限管理テーブルを示す図である。
【図５】リソース管理テーブルを示す図である。
【図６】リソース残量管理テーブルを示す図である。
【図７】優先度管理テーブルを示す図である。
【図８】ユーザ管理テーブルを示す図である。
【図９】図２の制御部の機能構成を示すブロック図である。
【図１０】分割ファイルのデータ構造を示す模式図である。
【図１１】図２のリムーバブル記録媒体又は内蔵記録媒体の記録構造を示す模式図である。
【図１２】図１の編集装置の機能構成を示すブロック図である。
【図１３】図２の制御部が実行制御機能及び中断制御機能を実行する際のフローチャートを示す図である。
【図１４】図２の制御部が実行中の処理を停止する際のフローチャートを示す。
【図１５】図１の編集装置が映像クリップの編集処理を行う場合のシーケンス図を示す。
【発明を実施するための形態】
【００１４】
以下、図面を参照しながら本発明に係る編集システム、マルチタスク放送用記録再生装置及び映像素材編集方法の実施の形態について詳細に説明する。
【００１５】
図１は、本発明の一実施形態に係る映像記録再生装置１０の概観図である。図１における映像記録再生装置１０には、カメラ２０が接続され、カメラ２０により取得された映像・音声情報が映像記録再生装置１０に取り込まれる。取り込まれた映像・音声情報は、挿入口１１に挿入されるリムーバブルメディアであるリムーバブル記録媒体３０又は装置本体に内蔵される内蔵記録媒体１２に映像クリップとして収録される。
【００１６】
映像記録再生装置１０は、ネットワークインタフェース（ＮＷ−Ｉ／Ｆ）１３によりネットワーク回線を介して編集装置４０と接続する。編集装置４０は、映像記録再生装置１０との間で、共通の一般的／専用プロトコルを用いることにより、ネットワーク回線を介して、リムーバブル記録媒体３０及び内蔵記録媒体１２をネットワークドライブとして使用することが可能である。
【００１７】
映像記録再生装置１０の本体前面パネルには、表示部１４、映像操作部１５、画面操作部１６が設けられる。
【００１８】
表示部１４は、例えば、ＬＣＤ（Liquid Crystal Display）から成る。表示部１４は、例えば、カメラ２０により撮像されている映像、及びリムーバブル記録媒体３０又は内蔵記録媒体１２に収録された映像クリップを表示する。
【００１９】
映像操作部１５は、各種のボタンと、ダイヤルとを備える。ユーザはこれらのボタン及びダイヤルを操作することで、リムーバブル記録媒体３０又は内蔵記録媒体１２に収録された映像クリップの再生要求等を入力することができる。
【００２０】
画面操作部１６は、各種のボタンを備える。ユーザはこれらのボタンを操作することで、カメラ２０により撮像される映像をリムーバブル記録媒体３０又は内蔵記録媒体１２へ収録させる収録要求と、リムーバブル記録媒体３０又は内蔵記録媒体１２に収録された映像クリップの再生要求、複製要求及び転送要求等を入力することができる。
【００２１】
図２は、本発明の一実施形態に係る映像記録再生装置１０の構成を示すブロック図である。図２における映像記録再生装置１０は、制御部１７、符号化部１９、復号化部１１０、内蔵記録媒体１２、表示部１４及びネットワークインタフェース１３を備える。各構成要素は、バス１１１を介してそれぞれ接続されている。なお、バス１１１は、映像データと制御データとで物理的に分けられる場合もあるが、ここでは簡略化のため共通とする。
【００２２】
符号化部１９は、カメラ２０により取得された映像・音声情報を予め設定されたフォーマット（例えば、Ｈ．２６４等）で符号化することで、映像ファイル及び音声ファイルを生成する。符号化部１９で生成された映像ファイル及び音声ファイルは、リムーバブル記録媒体３０又は内蔵記録媒体１２へ記録される。
【００２３】
リムーバブル記録媒体３０及び内蔵記録媒体１２には、例えばフラッシュメモリ等のランダムアクセス可能な不揮発性半導体メモリが用いられる。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。映像ファイル及び音声ファイルは、一つの映像クリップとしてリムーバブル記録媒体３０又は内蔵記録媒体１２へ収録される。このとき、映像クリップと共に、この映像クリップの管理情報ファイルもリムーバブル記録媒体３０又は内蔵記録媒体１２へ記録される。管理情報ファイルには、映像クリップを構成する映像ファイル及び音声ファイルに関する詳細情報、映像クリップのフレーム数及び映像クリップに関する各種補助データ等が含まれる。
【００２４】
復号化部１１０は、符号化部１９で符号化されたファイルを復号化して表示部１４又は外部のモニタ装置へ出力する。また、復号化部１１０は、リムーバブル記録媒体３０又は内蔵記録媒体１２に収録された映像クリップを復号化して表示部１４又は外部のモニタ装置へ出力する。
【００２５】
制御部１７は、ＣＰＵ（Central Processing Unit）及びメモリ１７０等を備えたマイクロコンピュータから成る。メモリ１７０には、制御部１７による各制御の際に用いられる管理テーブルが格納される。すなわち、メモリ１７０には、実行中の処理を管理する実行中処理管理テーブルＴ１と、実行中の処理で使用されている映像クリップへのアクセス制限を管理するアクセス制限管理テーブルＴ２と、リソース使用量を計算するために必要な、処理毎のリソース使用量を管理するリソース管理テーブルＴ３と、装置内のリソース残量を管理するリソース残量管理テーブルＴ４と、実行可能な処理の優先度を管理する優先度管理テーブルＴ５と、映像記録再生装置１０に接続するユーザの優先度を管理するユーザ管理テーブルＴ６とが格納される。図３〜図８は、メモリ１７０に格納される管理テーブルの具体例を示した図である。図３は実行中処理管理テーブルＴ１を示し、図４はアクセス制限管理テーブルＴ２を示し、図５はリソース管理テーブルＴ３を示し、図６はリソース残量管理テーブルＴ４を示し、図７は優先度管理テーブルＴ５を示し、図８はユーザ管理テーブルＴ６を示す。なお、図５に示す管理テーブルＴ３では、簡略化のため編集装置４０からの編集処理は常時リソースを最大で使用することとする（通常再生の２倍の帯域を使用する）。
【００２６】
図９は、制御部１７の機能構成を示すブロック図である。制御部１７は、マイクロコンピュータにより所定のプログラムを実行することで、実行制御機能１７１、収録制御機能１７２、編集応答機能１７３、再生制御機能１７４、制限制御機能１７５及び中断制御機能１７６を実現する。
【００２７】
実行制御機能１７１は、画面操作部１６から映像クリップの収録、再生、コピー及び転送等の実行要求が入力された際に、その処理を実行するだけのリソース残量があるか否かを判断し、実行可能と判断した場合、要求された処理を実行するだけのリソース使用量を割り当て、その処理を実行させる機能である。また、実行制御機能１７１は、編集装置４０が映像クリップの編集処理を実行する旨の通知がされた際に、編集装置４０の編集処理に対する応答処理を実行するだけのリソース残量があるか否かを判断し、実行可能と判断した場合、必要なリソース使用量を割り当て、編集装置４０の編集処理に対する応答処理を実行させる機能である。具体的には、制御部１７は、処理実行要求又は編集装置４０からの通知を受信すると、管理テーブルＴ１，Ｔ３，Ｔ４を参照し、リソース残量と要求された処理のリソース使用量とを比較することで、要求された処理を実行するのに十分なリソース残量があるか否かを判断する。そして、十分なリソース残量がある場合、要求された処理を実行する。
【００２８】
収録制御機能１７２は、カメラ２０により取得された映像・音声情報を映像クリップとしてリムーバブル記録媒体３０又は内蔵記録媒体１２へ収録する機能である。具体的には、制御部１７は、画面操作部１６から映像・音声情報の収録要求が入力されると、映像・音声情報の収録を開始する。制御部１７は、一連の映像クリップを収録する際、予め設定された要件を満たす度に擬似的に収録を終了させ、一連の映像クリップを分割された映像ファイル及び音声ファイル（以下、分割ファイルと称する）の集合としてリムーバブル記録媒体３０又は内蔵記録媒体１２へ収録する。
【００２９】
このときの予め設定された要件とは、予め設定した既定容量分の分割ファイルが収録されることを要件とする場合と、予め設定した収録時間が経過することを要件とする場合とがある。制御部１７は、既定容量分の分割ファイルの収録を要件とする場合、既定容量分の分割ファイルが収録される度に収録を擬似的に終了する。また、制御部１７は、予め設定した収録時間が経過することを要件とした場合、収録時間が経過する度に擬似的に収録を終了する。これにより、映像クリップは、予め設定された既定容量分の複数の分割ファイル、又は、予め設定された収録時間分の複数の分割ファイルを含むこととなる。なお、本実施形態では、予め設定された収録時間が経過する度に擬似的に収録を終了させる場合について説明している。
【００３０】
映像クリップの管理情報ファイルは、最初の分割ファイルの収録が完了すると生成され、それから分割ファイルの収録が完了する度に、新たに収録された分割ファイルの情報を加えた形で内容が更新される。これにより、管理情報ファイルには、収録が完了した範囲での映像クリップの情報が含まれることとなる。
【００３１】
図１０は、分割ファイルのデータ構造を示す模式図である。なお、ここでは、分割ファイルに映像情報が格納される場合の例を説明する。分割ファイルは、ヘッダ部、データ部及びフッタ部から成る。ヘッダ部には、データ部及びフッタ部の開始位置等が格納されている。データ部には、予め設定された時間分の映像のフレームデータが格納されている。フッタ部には、データ部におけるフレームデータの位置等を示すインデックス情報が格納されている。
【００３２】
図１１は、リムーバブル記録媒体３０又は内蔵記録媒体１２の記録構造を示す模式図である。記録媒体は、ビンと称されるディレクトリにより階層分けがなされる。ビン１には、映像クリップ１〜３及び映像クリップ１〜３それぞれの管理情報ファイル１〜３が格納される。映像クリップ１は、分割ファイル１〜３から構成されており、管理情報ファイル１には、映像クリップ１が分割ファイル１〜３により構成される旨等が示されている。
【００３３】
編集応答機能１７３は、編集装置４０が映像クリップの編集処理を実行する旨の通知がされた場合、この通知に対する応答処理を実行する機能である。具体的には、制御部１７は、編集装置４０が編集処理を実行する旨の通知を受信した場合、収録状況等を編集装置４０へ通知する。そして、制御部１７は、編集装置４０から編集処理を実行する映像クリップの管理情報ファイルを要求されると、その管理情報ファイルを編集装置４０へ送出する。
【００３４】
再生制御機能１７４は、映像クリップの再生要求が画面操作部１６から入力された場合、リムーバブル記録媒体３０又は内蔵記録媒体１２に記録された映像クリップを再生する機能である。また、制御部１７は、映像クリップの収録中に再生要求が入力された場合、要求された映像クリップにおいて収録が完了した分割ファイルから順次再生する。
【００３５】
制限制御機能１７５は、実行中の処理で使用されている映像クリップに対するアクセスを制限する機能である。この機能を実行するため、制御部１７は、メモリ１７０に格納された管理テーブルＴ２の制限情報を、対応する映像クリップの管理情報ファイルに補助データとして書き込み、その管理情報ファイルを編集装置４０へ送出する。そして、編集装置４０がこの管理情報ファイルから補助データを読み出すことにより、編集装置４０の使用中の映像クリップへのアクセスが制限される。管理テーブルＴ２では、実行処理で使用される「メディア／ビンＮｏ．／クリップＮｏ．」のいずれかが制限対象として設定され、この制限対象に対して「非表示」及び「書込み禁止」等のアクセスの制限が設定される。
【００３６】
中断制御機能１７６は、任意の処理の実行中に新たな処理が要求された場合に実行中の処理を中断させる機能、及び中断される処理を継続可能な状態で情報を残す機能である。具体的には、制御部１７は、一の処理の実行中に画面操作部１６から他の処理が要求され、この処理を実行するだけのリソース残量がない場合、管理テーブルＴ５を参照して、実行中の処理の優先度と新たに要求された処理の優先度とを比較する。優先度が実行中の処理よりも新たに要求された処理の方が高い場合、実行中の処理の進捗状況をリムーバブル記録媒体３０又は内蔵記録媒体１２へ記録させた後、要求された処理を実行する。また、制御部１７は、編集装置４０の編集処理に対する応答処理の実行中に画面操作部１６から他の処理が要求され、この処理を実行するだけのリソース残量がない場合、管理テーブルＴ５を参照して、応答処理の優先度と新たに要求された処理の優先度とを比較する。優先度が実行中の応答処理よりも新たに要求された処理の方が高い場合、応答処理を中断する旨の信号を編集装置４０へ送出した後、要求された処理を実行する。また、制御部１７は、編集装置４０の編集処理に対する応答処理の実行中に他の編集装置から編集処理を実行する旨の通知を受け、他の編集装置に対する応答処理を実行するだけのリソース残量がない場合、管理テーブルＴ６を参照して、編集装置４０の優先度と他の編集装置の優先度とを比較する。優先度が応答中の編集装置４０よりも他の編集装置の方が高い場合、応答処理を中断する旨の信号を編集装置４０へ送出した後、優先度の高い編集装置からの編集要求に応える。
【００３７】
図１２は、本発明の一実施形態に係る編集装置４０の機能構成を示すブロック図である。図１２における編集装置４０は、表示制御部４１、内蔵記録媒体４２、編集部４３、復号化部４４、表示モニタ４５及びネットワークインタフェース４６を具備する。各構成要素は、バス４７によりそれぞれ接続される。
【００３８】
表示制御部４１は、編集装置４０のユーザが映像クリップの編集処理を要求すると、ネットワークインタフェース４６を介して編集処理を実行する旨を映像記録再生装置１０へ通知する。また、表示制御部４１は、映像記録再生装置１０から収録状況等を受け取ると、表示モニタ４５へその収録状況等を表示させる。表示制御部４１は、この収録状況等に基づいてユーザにより編集処理を実行する映像クリップが指定されると、その映像クリップの管理情報ファイルを映像記録再生装置１０に要求する。表示制御部４１は、この要求に応じて映像記録再生装置１０から送出される管理情報ファイルを受信すると、受信した管理情報ファイルに基づいて映像クリップを構成する分割ファイルのインデックス情報をリムーバブル記録媒体３０又は内蔵記録媒体１２から読み出す。そして、表示制御部４１は、読み出したインデックス情報に基づいて分割ファイルのフレームデータを読み出し、復号化部４４で復号化させた後、表示モニタ４５に表示させる。
【００３９】
ユーザは、表示モニタ４５の表示を参照し、編集部４３により、ＩＮ／ＯＵＴ点の設定やフェード処理の設定等の編集処理を行う。編集部４３は、この編集処理の編集結果をプレイリスト情報として内蔵記録媒体４２へ記録する。
【００４０】
また、表示制御部４１は、映像記録再生装置１０から応答処理の中断指示を受信すると、編集処理の進捗状況を内蔵記録媒体４２へ記録し、実行中の編集処理を中断させる。
【００４１】
また、表示制御部４１は、映像記録再生装置１０におけるリムーバブル記録媒体３０又は内蔵記録媒体１２をネットワークドライブとして使用する際、リムーバブル記録媒体３０又は内蔵記録媒体１２に収録されている映像クリップの一覧を表示モニタ４５に表示させることが可能である。ただし、表示モニタ４５における表示内容は、管理テーブルＴ２に基づいて制限される。
【００４２】
次に、上記構成における動作を詳細に説明する。図１３は、制御部１７が実行制御機能１７１及び中断制御機能１７６を実行する際のフローチャートを示す図である。
【００４３】
まず、制御部１７は、画面操作部１６からの処理実行要求又は編集装置４０からの編集処理を実行する旨の通知を受信する（ステップ１３ａ）。制御部１７は、管理テーブルＴ１，Ｔ３，Ｔ４を参照し、リソース残量と要求された処理のリソース使用量とを比較することで、要求された処理を実行するのに十分なリソース残量があるか否かを判断する（ステップ１３ｂ）。十分なリソース残量がある場合（ステップ１３ｂのＹｅｓ）、新たに開始する処理を反映させて管理テーブルＴ１，Ｔ２，Ｔ４を更新し（ステップ１３ｃ）、関連する構成要素に対する制御を実行し（ステップ１３ｄ）、処理を開始させる。そして、制御部１７は、実行要求に対して正常に処理が実行できた旨の正常応答を返す（ステップ１３ｅ）。
【００４４】
要求された処理を実行するのに十分なリソース残量がない場合（ステップ１３ｂのＮｏ）、要求された処理の優先度が実行中の処理の優先度よりも高いか否かを管理テーブルＴ５を参照して判断する（ステップ１３ｆ）。要求された処理の優先度が実行中の優先度よりも低い場合（ステップ１３ｆのＮｏ）、実行要求に対して処理を実行できない旨のＮＧ応答を返す（ステップ１３ｇ）。要求された処理の優先度が実行中の処理の優先度よりも高い場合（ステップ１３ｆのＹｅｓ）、要求された処理を実行するのに十分なリソース残量を確保するように優先度の低い処理を中断する（ステップ１３ｈ）。そして、制御部１７は、中断時の停止位置等の進捗状況をリムーバブル記録媒体３０又は内蔵記録媒体１２へ記録し、中断された処理が所定時間後に再開されるようにタイマをセットする（ステップ１３ｉ）。なお、中断される処理が編集装置４０に対する応答処理である場合、制御部１７は、中断時の編集処理の進捗状況を内蔵記録媒体４２へ記録させる。
【００４５】
制御部１７は、ステップ１３ｉの後、新たに開始される処理を反映させて管理テーブルＴ１，Ｔ２，Ｔ４を更新し（ステップ１３ｊ）、処理をステップ１３ｄへ移行する。制御部１７は、タイマが終了し、中断された処理が再開されると（ステップ１３ｋ）、処理をステップ１３ｂへ移行する。なお、映像記録再生装置１０に複数の編集装置が接続され、編集装置４０以外の編集装置から編集処理を実行する旨の通知を受け得る場合は、図１３において、ステップ１３ｆの前段に管理テーブルＴ６を参照した編集装置の優先度に関する判断ブロックを挿入することで、他の編集装置への応答処理にも対応することが可能である。
【００４６】
具体例として、ステップ１３ａにおいて、編集装置４０が内蔵記録媒体１２に収録された映像クリップの編集処理を実行する場合を説明する。制御部１７は、図５に示す管理テーブルＴ３及び図６に示す管理テーブルＴ４に基づいて、編集装置４０に対する応答処理を実行するためのリソース残量は十分であると判断する（ステップ１３ｂのＹｅｓ）。制御部１７は、リソース残量が十分であると判断すると、管理テーブルＴ１，Ｔ２，Ｔ４を更新し（ステップ１３ｃ）、編集装置４０に対する応答処理を開始させ（ステップ１３ｄ）、正常応答を返す（ステップ１３ｅ）。
【００４７】
次に、同じく具体例として、ステップ１３ａにおいて、リムーバブル記録媒体３０からの映像クリップの再生が要求された場合を説明する。制御部１７は、管理テーブルＴ１，Ｔ３，Ｔ４に基づいて、このままのリソース残量では、映像クリップの再生処理を実行するのに不十分であると判断する（ステップ１３ｂのＮｏ）。
【００４８】
続いて、制御部１７は、図３に示される管理テーブルＴ１及び図７に示される管理テーブルＴ５を参照して、リムーバブル記録媒体３０からの映像クリップの再生処理の優先度を確認する（ステップ１３ｆ）。制御部１７は、リムーバブル記録媒体３０からの映像クリップの再生処理の優先度が、リムーバブル記録媒体３０に記録された映像クリップの編集処理に対する応答処理の優先度よりも高いため（ステップ１３ｆのＹｅｓ）、編集装置４０に対する応答処理を中断し（ステップ１３ｈ）、中断時の進捗状況を内蔵記録媒体４２に記録させる（ステップ１３ｉ）。そして、制御部１７は、管理テーブルＴ１，Ｔ２，Ｔ４を更新し（ステップ１３ｊ）、リムーバブル記録媒体３０からの映像クリップの再生を開始させ（ステップ１３ｄ）、正常応答を返す（ステップ１３ｅ）。
【００４９】
図１４は、制御部１７が実行中の処理を停止する際のフローチャートを示す。
【００５０】
まず、制御部１７は、画面操作部１６又は編集装置４０から処理停止要求を受信する（ステップ１４ａ）。制御部１７は、関連する構成要素に対する制御を実行し、実行中の処理を停止させる（ステップ１４ｂ）。そして、制御部１７は、管理テーブルＴ１，Ｔ２，Ｔ４を更新し（ステップ１４ｃ）、停止要求に対して正常に実行中の処理を停止した旨の正常応答を返し（ステップ１４ｄ）、処理を終了する。
【００５１】
図１５は、編集装置４０が映像クリップの編集処理を行う場合のシーケンス図を示す。なお、映像記録再生装置１０と編集装置４０との間では、予め設定された指示コマンドを用いて指示のやり取りが行われている。
【００５２】
まず、編集装置４０は、映像クリップの編集処理を実行する旨を映像記録再生装置１０へ通知する。なお、映像記録再生装置１０と編集装置４０とのコネクション確立等をトリガにして、この通知がされたとみなすようにしても良い。
【００５３】
映像記録再生装置１０は、通知を受けると、現在収録中の映像クリップＮｏ．及び収録済みの時間等を編集装置４０へ返す。編集装置４０は、映像記録再生装置１０からの通知に基づいて、編集を希望する映像クリップの管理情報ファイルを映像記録再生装置１０に対して要求する。映像記録再生装置１０は、この要求に応じて管理情報ファイルを編集装置４０へ送出する。編集装置４０は、この管理情報ファイルを参照して、内蔵記録媒体１２から編集を希望する映像クリップに含まれる全ての分割ファイルのインデックス情報を読み出す。そして、編集装置４０は、このインデックス情報に基づいて、内蔵記録媒体１２に収録された映像クリップの編集を行う。編集装置４０は、編集が完了すると、プレイリスト情報を内蔵記録媒体４２へ記録する。
【００５４】
次に、編集装置４０が収録中の映像クリップを編集する際の映像記録再生装置１０と編集装置４０との間のやり取りを、図１０及び図１１に示す分割ファイルと、図１５に示すシーケンス図を参照して説明する。ここでは、映像クリップ１の分割ファイル２が収録中であり、５分毎に次の分割ファイルが収録されるものとする。
【００５５】
映像記録再生装置１０は、編集装置４０から映像クリップの編集処理を実行する旨の通知を受けると、映像クリップ１を収録中である旨及び収録済み時間が５分である旨を通知する。編集装置４０は、この通知を受け、映像クリップ１の管理情報ファイル１を要求する。映像記録再生装置１０はこの要求に応じて管理情報ファイル１を編集装置４０へ送出する。ここで、映像クリップ１の収録は、分割ファイル１まで完了しているため、管理情報ファイル１には、分割ファイル１に関する情報が含まれている。
【００５６】
編集装置４０は、管理情報ファイル１を参照して、内蔵記録媒体１２から分割ファイル１のインデックス情報を読み出し、このインデックス情報に基づいて分割ファイル１の編集を行う。
【００５７】
映像記録再生装置１０は、収録時間が１０分経過し、分割ファイル２の収録が完了すると、管理情報ファイル１をその内容に分割ファイル２の情報を含むように更新し、分割ファイル２の収録が完了した旨を編集装置４０へ通知する。編集装置４０は、この通知を受けると、再度管理情報ファイル１を要求する。映像記録再生装置１０は、この要求に応じて管理情報ファイル１を編集装置４０へ送出する。編集装置４０は、管理情報ファイル１を参照して読み出した分割ファイル２のインデックス情報に基づいて分割ファイル２の編集を行う。
【００５８】
映像記録再生装置１０は、収録時間が１５分を経過し、分割ファイル３の収録が完了すると、管理情報ファイル１をその内容に分割ファイル３の情報を含むように更新し、分割ファイル３の収録が完了した旨を編集装置４０へ通知する。そして、映像記録再生装置１０及び編集装置４０は上述の処理を繰り返し、内蔵記録媒体１２に収録された分割ファイル３の編集を行う。これにより、収録中の映像クリップ１の編集が行われることとなる。
【００５９】
次に、制限制御機能１７５による映像クリップに対するアクセス制限及び映像クリップの表示制限について、図４に示す管理テーブルＴ２を参照して詳細に説明する。
【００６０】
図４に示す管理テーブルＴ２では、内蔵記録媒体１２への映像クリップの収録が行われている際には、「メディア／ビンＮｏ．」が、「書込み禁止」となっている。これにより、映像クリップの収録中には映像クリップが収録されるビンに対しては書き込み動作ができないようになっている。また、リムーバブル記録媒体３０に収録される映像クリップが編集装置４０により編集される際には、「メディア／ビンＮｏ．／クリップＮｏ．」が、「書込み禁止」となっている。これにより、編集中の映像クリップに対しては、書き込み動作ができないようになっている。また、同じくリムーバブル記録媒体３０に収録される映像クリップが編集装置４０により編集される際には、「メディア／ビンＮｏ．／クリップＮｏ．」が、「非表示」となっている。これにより、表示モニタ４５は、編集中の映像クリップは表示されないようになっている。
【００６１】
制御部１７は、上記の制限制御機能１７５を実現するために、以下の処理を行う。制御部は、制限対象を「書込み禁止」とする際は、その旨を管理情報ファイルに補助データとして書き込み、その管理情報ファイルを編集装置４０へ送出する。編集装置４０は、管理情報ファイルの補助データを参照することにより、制限対象が「書込み禁止」である旨を判断する。また、制御部１７は、制御対象を「非表示」とする際は、制限対象を管理情報ファイルに含めないで編集装置４０へ送出する。編集装置４０のユーザは、管理情報ファイルに含まれていない対象は表示モニタ４５には表示されないため、アクセスすることができない。
【００６２】
以上のように、上記一実施形態では、映像クリップの収録を、予め設定された時間毎に擬似的に終了させ、一つの映像クリップが複数の分割ファイルを含むように収録する。そして、編集装置４０から映像クリップの編集処理を実行する旨の通知があった場合には、分割ファイル単位で編集させるようにしている。これにより、映像記録再生装置１０は、編集装置４０が収録中の映像クリップを選択した場合でも、収録中の映像クリップのうち収録が完了した分割ファイルを編集させることが可能となる。すなわち、編集装置４０は、映像クリップの編集を行う際、映像クリップの収録が全て完了するのを待たずに編集処理を開始することが可能となる。
【００６３】
また、上記一実施形態では、収録中の映像クリップに対して再生要求があった場合には、収録中の映像クリップのうち収録が完了した分割ファイルを順次再生するようにしている。これにより、映像記録再生装置１０は、映像クリップの収録が全て完了するのを待たずに、再生処理を開始することが可能となる。
【００６４】
また、上記一実施形態では、管理テーブルＴ１〜Ｔ６を備え、要求された処理のリソース使用量と現在のリソース残量とを比較し、リソース残量が十分である限り複数の処理を並行して実行するようにしている。これにより、映像記録再生装置１０は、マルチタスク処理を行うことが可能となる。
【００６５】
また、上記一実施形態では、所定の処理を実行している際に、実行中の処理よりも優先度が高い処理が要求され、その処理を実行するだけのリソース残量がない場合、実行中の処理を中断し、優先度の高い処理を実行する。また、編集装置４０の編集処理に対する応答処理を実行している際に、編集装置４０よりも優先度が高い編集装置から編集処理を実行する旨の通知があり、その応答処理を新たに実行するだけのリソース残量がない場合、編集装置４０による編集処理を中断し、優先度の高い編集装置に対する応答処理を実行する。これにより、映像記録再生装置１０は、優先順位に応じてより効率的にマルチタスク処理を行うことが可能となる。
【００６６】
また、上記一実施形態では、新たな処理が要求され、実行中の処理を中断する場合、中断される処理の進捗状況を保存するようにしている。これにより、中断された処理を再開する際には、中断位置から処理を継続して実行することが可能となる。
【００６７】
また、上記一実施形態では、管理テーブルＴ２により、実行中の処理で使用されるメディア、ビン及び映像クリップのいずれかに対して、所定のアクセス制限を設定するようにしている。これにより、映像記録再生装置１０は、映像記録再生装置１０側で実行中の処理で使用されている素材が、編集装置４０からの不用意なアクセスにより消去等されること等を防ぐことが可能である。また、アクセス可能なもの以外は非表示にすることが可能であるため、アクセス可能なクリップを迅速かつ的確に選択することが可能となる。
【００６８】
したがって、本発明に係る編集システム及び映像記録再生装置１０は、映像・音声情報の収録から編集開始までのリードタイムを短縮することができる。
【００６９】
なお、この発明は上記一実施形態に限定されるものではない。例えば、上記一実施形態では、編集装置４０がネットワークインタフェース１３を介して接続されている例について説明したが、ネットワークインタフェースは１つに限定される必要はない。すなわち、映像記録再生装置１０は、複数のネットワークインタフェースを備え、このネットワークインタフェースにより複数の編集装置と接続されている場合であっても同様に実施可能である。
【００７０】
また、上記一実施形態では、予め設定された収録時間毎に収録された分割ファイルを編集装置４０により編集する例について説明したが、予め設定した既定容量分の分割ファイルを編集装置４０により編集する場合であってもかまわない。このとき、映像記録再生装置１０は、収録中の映像クリップの編集処理を実行する旨が編集装置４０から通知された場合、収録中の映像クリップＮｏ．に加え、収録済みの容量を編集装置４０へ返す。また、映像記録再生装置１０は、収録容量が既定容量を超えると分割ファイルの収録を擬似的に終了し、次の分割ファイルの収録を開始する。映像記録再生装置１０は、分割ファイルの収録が完了すると、管理情報ファイルに収録が完了した分割ファイルの情報を含むように更新し、分割ファイルの収録が完了した旨を編集装置４０へ通知する。これにより、編集装置４０は、分割ファイルを既定容量単位で収録する場合であっても、分割ファイルを所定の収録時間単位で収録する場合と同様に、収録中の映像クリップの編集処理を実行することが可能である。
【００７１】
また、上記一実施形態では、編集装置４０がリムーバブル記録媒体３０又は内蔵記録媒体１２に記録された分割ファイルを読み出して編集し、その編集結果であるプレイリスト情報を内蔵記録媒体１２へ記録する例について説明したが、編集装置４０が分割ファイルを内蔵記録媒体１２にコピーした後、その分割ファイルを編集する場合であっても同様に実施可能である。
【００７２】
また、上記一実施形態では、リソース残量の関係上、リムーバブル記録媒体３０への収録中に、収録中のクリップの編集処理はできないこととなっているが、これは装置のリソース量に依存するものである。装置のリソース量を増加させることにより、リムーバブル記録媒体３０に対しても追いかけ編集することが可能となる。
【００７３】
また、上記一実施形態では、映像記録再生装置１０は、映像・音声情報を映像ファイル及び音声ファイルに変換する例について説明したが、カメラ２０により映像情報のみが得られ、これを映像ファイルに変換して記録媒体へ収録する場合であっても同様に実施可能である。
【００７４】
また、上記一実施形態では、映像記録再生装置１０は、映像・音声情報を符号化部１９によりエンコードして、高精細な映像ファイル及び音声ファイルを生成する例について説明したが、これらのファイルに加え、これらのファイルよりも低ビットレートの簡易映像ファイル（以下、プロキシ画像ファイルと称する）を生成することも可能である。このとき、映像記録再生装置１０は、取得された映像・音声情報を、例えばＭＰＥＧ．４等によりエンコードしてプロキシ画像ファイルを生成する符号化部１９−２を具備する。符号化部１９−２は、符号化部１９により生成される分割ファイルと平行して、プロキシ画像ファイルを生成する。生成されたプロキシ画像ファイルは、上述の高精細なファイルと共にリムーバブル記録媒体３０又は内蔵記録媒体１２へ記録される。映像記録再生装置１０は、編集装置４０から映像クリップの編集処理を実行する旨の通知を受けると、映像クリップの管理情報ファイルと共にこのプロキシ画像ファイルを編集装置４０へ送出する。
【００７５】
また、上記一実施形態では、編集装置４０は、受け取った管理情報ファイルに基づいて、内蔵記録媒体１２に記録された映像クリップの編集を行う例について説明したが、この方法に限定される訳ではない。すなわち、編集装置４０は、受け取ったプロキシ画像ファイルを内蔵記録媒体４２へ記録し、ここで内蔵記録媒体４２に記録したプロキシ画像ファイルに対して編集処理を行う場合であっても同様に実施可能である。このとき、編集処理が施されたプロキシ画像ファイルは内蔵記録媒体４２へ記録される。
【００７６】
また、上記一実施形態では、映像クリップの収録時間が５分を経過する度に分割ファイルが収録される場合について説明したが、５分に限定される訳ではなく、それ以外の時間であっても同様に実施可能である。
【００７７】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００７８】
１０…映像記録再生装置
１１…挿入口
１２…内蔵記録媒体
１３…ＮＷ  Ｉ／Ｆ
１４…表示部
１５…映像操作部
１６…画面操作部
１７…制御部
１７０…メモリ
１７１…実行制御機能
１７２…収録制御機能
１７３…編集応答機能
１７４…再生制御機能
１７５…制限制御機能
１７６…中断制御機能
１９…符号化部
１１０…復号化部
１１１…バス
２０…カメラ
３０…リムーバブル記録媒体
４０…編集装置
４１…表示制御部
４２…内蔵記録媒体
４３…編集部
４４…復号化部
４５…表示モニタ
４６…ＮＷ  Ｉ／Ｆ
４７…バス
【図１】
2010219672.tif 000003
【図２】
2010219672.tif 000004
【図３】
2010219672.tif 000005
【図４】
2010219672.tif 000006
【図５】
2010219672.tif 000007
【図６】
2010219672.tif 000008
【図７】
2010219672.tif 000009
【図８】
2010219672.tif 000010
【図９】
2010219672.tif 000011
【図１０】
2010219672.tif 000012
【図１１】
2010219672.tif 000013
【図１２】
2010219672.tif 000014
【図１３】
2010219672.tif 000015
【図１４】
2010219672.tif 000016
【図１５】
2010219672.tif 000017